(57)【要約】【課題】本発明は、合わせ鏡や大掛かりな仕掛けを必要とせず、楽な姿勢かつ両手が自由なままで、自身の頭頂部、後頭部、背面部、周囲を確認できる機器を提供せんとするものである。【解決手段】本発明は、表示手段の映像表示面にマジックミラーを張り合わせ、保持手段と撮像制御の為の制御手段を内蔵したユニットａと、保持手段の片端に撮像手段を取り付けたユニットｂの二点からなる装置であり、装置が作動していないときは、通常の鏡として使用することができる。装置を作動させると、保持手段取り付けられた撮像手段が撮像した映像を即時に、マジックミラー裏側に取り付けられた表示手段より出力し、マジックミラー越しにみることができる。また、見たい部分を拡大して見ることや記録媒体に撮像の記録をすることもできる。また、電源は固定式とバッテリー充電式により、自由に持ち運び可能としてもよい。【選択図】図１
2016189503.tif 000002
【特許請求の範囲】
【請求項１】
被撮像体に対向して設置されるマジックミラーと、
当該被撮像体から見た当該マジックミラーの背面に、当該被撮像体側から目視可能な画像を表示する表示手段と、
被撮像体の周囲を撮像する少なくとも１の撮像手段と、
当該撮像手段を所望位置に保持する保持手段と、
当該撮像手段から出力される映像を当該表示手段に表示させる制御手段を、有する、
ことを特徴とする複合表示システム。
【請求項２】
前記被撮像体は被撮像者であって、
前記マジックミラーは顔鏡もしくは全身鏡であることを特徴とする、
請求項１記載の複合表示システム。
【請求項３】
前記撮像手段及び前記保持手段からなるユニットｂと、
前記表示手段、前記マジックミラー、並びに前記制御手段と前記別保持手段からなるユニットａとの組み合わせによることを特徴とする、
請求項１または２記載の複合表示システム。
【請求項４】
前記ユニットｂを前記ユニットａから取り外すことができ、
取り外した前記ユニットｂは、前記ユニットａから離れた位置で自立し、撮像映像を前記ユニットａに送ることができることを特徴とする、
請求項３記載の複合表示システム。
【請求項５】
前記ユニットｂが有する撮像手段は複数であって、
前記ユニットａが有する制御手段は、当該複数の撮像映像を任意に表示制御することを特徴とする、
請求項３または４記載の複合表示システム。
【請求項６】
前記ユニットａを小型に構成し、前記ユニットｂを小型に構成し、かつ、
当該ユニットｂにバッテリーを内蔵させることにより、携帯容易に構成したことを特徴とする
請求項３ないし５何れか記載の複合表示システム。
【発明の詳細な説明】
【技術分野】
【０００１】
本発明は、自身の正面を映す鏡としてだけではなく、通常は２枚以上の鏡を使わなくては見ることができない自らの頭頂部、後頭部、背面並びに周囲を、楽な姿勢のまま確認することができる機器、複合表示システムに関する。
【背景技術】
【０００２】
従来の鏡は自然科学の摂理に従い、像を反射させて見るものである。
【０００３】
故に、自らの視野角外にある頭頂部や後頭部、背面並びに周囲を確認するには、２枚以上の鏡を使用して反射させて見るしか方法がなく、通常は正面に置いた鏡と、見たい角度を映す為の鏡を片手に持ち、見たい部分を正面の鏡に反射させて見るのである。
【０００４】
片手に鏡を持つ為に、両手を使う精細な作業を施すことができない。
【０００５】
その問題を解決するため、頭頂部や後頭部、背面を見ることができ、両手を自由に使えるようにする機器としては、様々に組み合わせた鏡と、自在に曲がる支持アームに取り付けた鏡で構成された機器や、液晶ディスプレイとイメージセンサーを組み合わせた機器などが提案されている。
【先行技術文献】
【特許文献】
【０００６】
【特許文献１】特許公開２００７−１９５９１２
【特許文献２】実用新案公開平６−５５４６５
【特許文献３】実用新案公開平７−３３０８０
【特許文献４】登録実用新案第３１７２２４１
【特許文献５】登録実用新案第３１１８６３９
【特許文献６】登録実用新案第３１１２６１７
【特許文献７】登録実用新案第３０５２７１３
【発明の概要】
【発明が解決しようとする課題】
【０００７】
自身の頭頂や後頭部を見る機器としては、横型、またはたて型に組み合わせた三面鏡や四面鏡など、多数の鏡を組み合わせたものがあるが、それらのものは、使用者が鏡の正面に位置しながら、片手に手鏡を持ち、自分の見たい部分を正面の鏡に映すべく、手鏡の反射角度を工夫しながら確認する以外の方法がない。片手は手鏡を持ち、残りの片手しか使えない為に、繊細な作業を自身の頭頂部や後頭部に施すことは困難であり、しかも眼球を上方や横方向へ長時間向け続けねばならない為、肉体の疲労も激しい。本発明はそれらの疲労を軽減し、両手も自由に使え、繊細な作業を自身の頭頂部や後頭部へ施すことが容易になるようにする機器を提供せんとするものである。
【０００８】
また、自身の背面部を見るためには、大きな鏡か三面鏡や四面鏡の前に位置し、その他にもう一枚以上の大きな鏡を自身の後ろへ設置し、反射角度を調節しながら、自身の前方に位置する鏡へ自身の背面部を映さなくては確認することができないが、本発明はそういった複雑で大掛かりな仕掛けを必要とせず、楽な姿勢で自身の頭頂部、後頭部、背面部を確認できる機器を提供せんとするものである。
【０００９】
また、事故や怪我などで視線を動かすことが困難な方でも、容易に自分の周囲を確認することが可能となる機器を提供せんとするものである。
【課題を解決するための手段】
【００１０】
上記課題を解決するため、本発明の請求項１に係る複合表示システムは、被撮像体に対向して設置されるマジックミラーと、当該被撮像体から見た当該マジックミラーの背面に、当該被撮像体側から目視可能な画像を表示する表示手段と、被撮像体の周囲を撮像する少なくとも１の撮像手段と、当該撮像手段を所望位置に保持する保持手段と、当該撮像手段から出力される映像を当該表示手段に表示させる制御手段を、有することを特徴とする。
【００１１】
請求項２に係る複合表示システムは、請求項１に係る複合表示システムにおいて、前記被撮像体は被撮像者であって、前記マジックミラーは顔鏡もしくは全身鏡であることを特徴とする。
【００１２】
請求項３に係る複合表示システムは、請求項１または２に係る複合表示システムにおいて、前記撮像手段及び前記保持手段からなるユニットｂと、前記表示手段、前記マジックミラー、並びに前記制御手段と前記別保持手段からなるユニットａとの組み合わせによることを特徴とする。
【００１３】
請求項４に係る複合表示システムは、請求項３に係る複合表示システムにおいて、前記ユニットｂを前記ユニットａから取り外すことができ、取り外した前記ユニットｂは、前記ユニットａから離れた位置で自立し、撮像映像を前記ユニットａに送ることができることを特徴とする。
【００１４】
請求項５に係る複合表示システムは、請求項３または４に係る複合表示システムにおいて、前記ユニットｂが有する撮像手段は複数であって、前記ユニットａが有する制御手段は、当該複数の撮像映像を任意に表示制御することを特徴とする。
【００１５】
請求項６に係る複合表示システムは、請求項３ないし５何れかに係る複合表示システムであって、前記ユニットａを小型に構成し、前記ユニットｂを小型に構成し、かつ、当該ユニットｂにバッテリーを内蔵させることにより、携帯容易に構成したことを特徴とする。
【発明の効果】
【００１６】
従来からある鏡の機能に加えて、正面の鏡を見ている姿勢そのままで、使用者の頭頂部、後頭部、背面を見ることができ、両手も自由に使える。その為、通常なら見ることが困難な頭頂部の確認、後頭部の確認が容易にできる。また、両手が自由に使える為、楽な姿勢で整髪や白髪染め、薄毛対策、または髪にデコレーションを施すことができる。
【００１７】
また、客観的視点からの背面部が確認できるので、着物の着付けや洋服のコーディネイト確認、後ろ姿のチェックに役立つ。
【００１８】
また、携帯することにより、いつでもどこでも、頭頂部や後頭部の客観的なチェックを行うことができる。
【００１９】
また、本発明の撮像映像は鏡の中に現れる為、使用していない時の姿が極めてシンプルとなる。
【図面の簡単な説明】
【００２０】
【図１】５．保持手段に取り付けられた３．マジックミラーと４．表示手段を組み合わせたユニットａと、１．撮像手段を片端に取り付けた２．保持手段の形状がフレキシブルパイプ素材となるユニットｂからなる、複合表示システム。
【図２】前記図１のユニットｂの部材である２．保持手段の形状を、回転するジョイントからなる接続部材で構成した複合表示システム。
【図３】前記ユニットａと前記ユニットｂの間を６．撮像送信ケーブルで連結することにより、表示手段より離れた位置から撮像手段からの映像を表示手段に送ることができる複合表示システム。
【図４】前記ユニットａに撮像受信装置を取り付け、前記ユニットｂに撮像送信装置を取り付けることで、無線通信により、撮像手段からの映像を表示手段に送ることができる複合表示システム。
【図５】前記ユニットｂを天井に取り付け、先端にある撮像手段からの映像を、正面壁に埋め込まれた表示手段に送ることができる複合表示システム。
【図６】複数の撮像手段と保持手段を持つ前記ユニットｂからの映像を、制御手段にて任意に制御し、正面壁に埋め込まれた４．表示手段とマジックミラーからなるユニットａに送ることができる複合表示システム。
【図７】洗面台に取り付けられた前記ユニットａと、それに接続された前記ユニットｂからなる複合表示システム。
【図８】携帯可能な小さなサイズの前記ユニットａとそこに接続される前記ユニットｂからなる複合表示システム。
【発明を実施するための形態】
【００２１】
以下、本発明の実施の形態を図に基づいて説明する。
【実施例１】
【００２２】
図１は請求項１にて説明する図である。被撮像者である使用者は本装置に向かい、上から伸びるアーム（支持手段）の先端にあるイメージセンサー（撮像装置）を自ら確認したい部分に向け、本体のスイッチを入れると内蔵された制御手段が駆動し、撮像された映像がマジックミラー背面にある電子ディスプレイ（表示手段）に出力するものである。制御手段として、たとえば、ワンチップマイコンやメモリなどを搭載した制御回路や、制御ソフトをダウンロードした外付けのパソコンやスマートフォンなどを用いることができる。
【実施例２】
【００２３】
図２は前記図１にて説明した図の支持手段の形状を変化させたものである。
【実施例３】
【００２４】
図３は請求項４にて説明する図である。被撮像者である使用者の背部に設置した保持手段から伸びるイメージセンサー（撮像手段）で撮像した映像を、６．撮像送信ケーブルにて送り、内蔵された制御手段が駆動し、マジックミラー背面にある電子ディスプレイ（表示手段）に出力するものである。
【実施例４】
【００２５】
図４は前記図３にて説明した図の撮像送信を、７．撮像送信装置と８．撮像受信装置を用いて行うものである。
【実施例５】
【００２６】
図５は、被撮像者である使用者が、天井から伸びるアーム（保持手段）の先端にあるイメージセンサー（撮像手段）を任意の位置へ向けることで、イメージセンサーで撮影された映像を、内蔵された制御手段が駆動し、マジックミラー背面にある電子ディスプレイ（表示手段）に出力するものである。
【実施例６】
【００２７】
図６は被撮像者である使用者が、自らの座る椅子の背面より伸びる複数のアーム（保持手段）と先端にある複数のイメージセンサー（撮像装置）を任意の方向へ向けることで、イメージセンサーで撮影された映像を、内蔵された制御手段が駆動し、撮像された映像がマジックミラー背面にある電子ディスプレイ（表示手段）に任意の数の映像を映し出すものである。
【実施例７】
【００２８】
図７は、被撮像者である使用者が、洗面台の前に立った状態で、上部から伸びるアーム（保持手段）の先端にあるイメージセンサー（撮像手段）を任意の位置へ向けることで、撮影された映像を、内蔵された制御手段が駆動し、撮像された映像がマジックミラー背面にある電子ディスプレイ（表示手段）に出力するものである。
【実施例８】
【００２９】
図８は、小さい鏡と映像ディスプレイの組み合わせにより、どこへでも持ち歩ける大きさ、重さの本体を眼前に置き、上部から伸びるアーム（保持手段）の先端にあるイメージセンサー（撮像手段）を任意の位置へ向けることで、撮影された映像を、内蔵された制御手段が駆動し、マジックミラー背面にある電子ディスプレイ（表示手段）に出力するものである。
【産業上の利用可能性】
【００３０】
頭頂部や後頭部が見えることで、床屋や美容院においては、後頭部のカットの仕上がりを確認してもらうことが容易である。
【００３１】
また、客商売の施設、ホテルや旅館、レストラン、においては、客観的視点から自らの身だしなみのチェックができる。
【００３２】
また、ブティックの試着室においては、お客様のファッションチェックに役立つ。
【００３３】
また、着物の着付けにおいては、背面での帯の位置確認などに役立つ。
【００３４】
また、自らの頭頂部や後頭部への白髪染めやカツラの着用が容易にできる為、カツラ用品の開発および販売が期待できる。
【００３５】
また、自らの頭頂部や後頭部への人口植毛も可能となる為、自己植毛用品の開発および販売が期待できる。
【００３６】
また、従来は美容室で行っていた、女性の髪結いやデコレーションを自ら行うことが出きる為、美容用品、装飾用品の開発および販売が期待できる。
【符号の説明】
【００３７】
１    撮像手段
２    保持手段（制御手段）
３    マジックミラー
４    表示手段
５    保持手段
６    撮像送信ケーブル
７    撮像送信装置
８    撮像受信装置
ユニットａ    ３と４と５からなるユニット
ユニットｂ    １と２からなるユニット
【図１】
2016189503.tif 000003
【図２】
2016189503.tif 000004
【図３】
2016189503.tif 000005
【図４】
2016189503.tif 000006
【図５】
2016189503.tif 000007
【図６】
2016189503.tif 000008
【図７】
2016189503.tif 000009
【図８】
2016189503.tif 000010